(57)【要約】      （修正有）【課題】立体視覚効果を備え、印鑑辺縁の欠損を減らせる立体視覚効果を備える印鑑篆刻構造を有する印鑑を提供する【解決手段】立体視覚効果を備える印鑑篆刻構造を有する印鑑であって、複数の印刻しようとする姓名或いは名称文字を、印篆字体を採用してそれぞれひし形（平行四辺形）１，２，３に構成すると共にそれぞれが立方体を投映した３面を構成するように筆順に従って上、下、左、右の隣接する位置を占めるように印文を、上から下へ、右から左へと時計回りに配列して、それぞれの文字の隣接位置で相互に連結して、全体を立方体を投映した枠籠状Ｐに構成したことを特徴とする。【選択図】図２
0003185511.tif 000002
【実用新案登録請求の範囲】
【請求項１】
印鑑に刻印する複数の姓名、或いは名称文字を、印篆字体を採用して平行四辺形に表し、これらの平行四辺形に構成した各文字を立方体を投映した３面の各面に位置するように上から下へ、右から左へと時計回りに配列し、組合せ文字の筆順により、上、下、左、右の隣接する連接位置で相互に連結し、或いは延伸して全体を立方体を投映した形態を構成するよう配列して篆刻し、印鑑辺線のない印鑑としたことを特徴とする立体視覚効果を備える印鑑篆刻構造。
【請求項２】
前記複数の印刻しようとする姓名或いは名称文字は、印篆字体を採用し、ひし形に順番に配列して篆刻することを特徴とする請求項１に記載の立体視覚効果を備える印鑑篆刻構造。
【考案の詳細な説明】
【技術分野】
【０００１】
本考案は印刻しようとする複数の姓名或いは名称文字を、印篆字体を採用し、配列して組合せ或いは筆順連結して組合せを行い、特に印鑑枠線を残さず、印文を、印材底面積より小さい方式で彫刻し、これにより立体視覚効果を表現し、しかも印鑑辺縁欠損の恐れを減らすことができる立体視覚効果を備える印鑑篆刻構造に関する。
【背景技術】
【０００２】
東洋文化において、印鑑使用の歴史は長く、特に中国、韓国、日本、シンガポール等の国では人々は今も印鑑を熱愛しており、印鑑は現在まで、公的機関でも民間でも幅広く使用されている。
【０００３】
周知のように、伝統的な印鑑、或いは印鑑篆刻の習慣では、２文字であろうと複数の文字であろうと、上から下へ、右から左への配列方式を採用して構成する。
従来の印鑑技術においては、印鑑内の各文字間は相互に離れ、しかも矩形の平面空間内にレイアウトされており、その外周には矩形の周辺枠が設けられ、こうして印象或いは印鑑を完成する。
【０００４】
広大な漢字文化は、楷書体、宋書体、ゴシック体、草書体、小篆体等の字体を含む。
中でも、小篆中の印篆字体は矩形状枠体文字に使われ、一文字一文字はどれもボックス型字体で筆記される。
【０００５】
一般の印鑑は数百年来、変り映えのしない古い方法で製作されてきた。
そのため、イノベーションの新鮮さと美感に欠ける。
しかも、一般の印鑑は、周辺枠が弱いため、不注意でぶつけると角が欠けてしまう恐れがある。
よって、本考案者は、印鑑製造と篆刻に数十年従事してきた経験を生かし、旧態依然とした考え方を突き崩し、全く新しい印鑑の組成方式を考案した。
【０００６】
本考案の設計構想は、以下の通りである。
すなわち、姓名或いは名称の複数の文字を、印篆字体を採用して組合せ、文字筆順により、組合せ文字の上、下、左、右の相互に隣接する位置を、相互に連結して枠籠状を形成し、或いは印文を、上から下へ、右から左へと時計回りに配列して篆刻し、これにより優美な立体視覚効果を実現し、しかも印鑑の辺縁欠損の恐れを減らすことができる。
本考案は、従来の印鑑篆刻構造の上記した欠点に鑑みてなされたものである。
【先行技術文献】
【特許文献】
【０００７】
【特許文献１】特開２００５−１３８５１６号公報
【考案の概要】
【考案が解決しようとする課題】
【０００８】
本考案が解決しようとする課題は、伝統的な印鑑の矩形或いは円形の枠の制限を打ち破り、そのこだわりの設計概念を超えて、特殊印文を備える印鑑を達成できる立体視覚効果を備える印鑑篆刻構造を提供することである。
【課題を解決するための手段】
【０００９】
上記課題を解決するため、本考案は下記の立体視覚効果を備える印鑑篆刻構造を提供する。
立体視覚効果を備える印鑑篆刻構造は、複数の印鑑に刻印しようとする姓名或いは名称文字を、印鑑底面積のサイズ(size)より小さい方式で、上から下へ、右から左へと時計回りに配列し、
筆順の間の隣接する連接位置を相互に連結、或いは延伸し、全体枠籠状を形成し、或いは印篆字体を、ひし形に順番に配列し、
こうして、印鑑の辺枠、或いは外枠を加える必要がなく、これにより全体的な優美さと立体的な視覚感覚を表現することができ、
本考案の応用技術は、二文字から複数の文字まで適用することができる。
【考案の効果】
【００１０】
本考案の立体視覚効果を備える印鑑篆刻構造は、印刻しようとする複数の姓名或いは名称文字を、印篆字体を採用し、配列して組合せ或いは筆順連結して組合せを行い、特に印鑑枠線を残さず、印文を、印材底面積より小さい方式で彫刻し、これにより立体視覚効果を表現し、しかも印鑑辺縁欠損の恐れを減らすことができる。
【図面の簡単な説明】
【００１１】
【図１】本考案において二文字の姓名を組合せて連結し、或いは延伸して全体を枠籠状に形成する実施例の模式図である。
【図２】本考案において三文字の姓名を組合せて連結し、或いは延伸して全体を枠籠状に形成する実施例の模式図である。
【図３】本考案において四文字の姓名を組合せて連結し、或いは延伸して全体を枠籠状に形成する実施例の模式図である。
【図４】本考案において五文字の姓名を組合せて連結し、或いは延伸して全体を枠籠状に形成する実施例の模式図である。
【考案を実施するための形態】
【００１２】
以下に図面を参照しながら本考案を実施するための最良の形態について詳細に説明する。
【実施例】
【００１３】
図１に示す本考案立体視覚効果を備える印鑑篆刻構造は、二文字のみで組成する苗字（佐藤）を例とする。
【００１４】
本考案は、印刻しようとする姓名或いは名称文字を、印鑑底面積のサイズ(size)より小さい印篆字体を採用し、その第一文字１と第二文字２の組合せを行い、並組合せ文字の筆順により、上、下、左、その上、下、左、右の隣接する連接位置を相互に連結し、或いは延伸して全体を枠籠状Ｐを形成するように配列して篆刻し、或いは印篆字体を、ひし形に順番に配列して篆刻する。
【００１５】
これにより、印鑑辺枠或いは外枠を加える必要がなくなるため、優美で立体的な視覚効果を備える印鑑図像を表現することができる。
【００１６】
図２〜４に示す本考案立体視覚効果を備える印鑑篆刻構造は、三〜五文字で組成する姓名を例（柯鴻偉、太田安彦、長濱美知子）とする。
【００１７】
本考案は、印刻しようとする姓名或いは名称文字を、印篆字体を採用し、その第一文字１、第二文字２、第三文字３、第四文字４、第五文字５を上記のように組合せ、組合せ文字の隣接する連接位置を相互に連結し、或いは延伸して全体を枠籠状Ｐに形成する配列して篆刻し、或いは印篆字体を、ひし形に順番に配列する。
【００１８】
これにより、印鑑辺枠或いは外枠を加える必要がなくなるため、立体的な視覚効果を備える印鑑図像を達成することができる。
【００１９】
上記説明は、二〜五文字の姓名を例として行ったが、本考案技術の実施方式は、五文字に限定するものではなく、複数の文字を含む姓名、或いは会社/事業者/商店などの名称に適用することができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２２】
１  第一文字
２  第二文字
３  第三文字
４  第四文字
５  第五文字
Ｐ  全体枠籠状
【図１】
0003185511.tif 000003
【図２】
0003185511.tif 000004
【図３】
0003185511.tif 000005
【図４】
0003185511.tif 000006
【手続補正書】
【提出日】平成25年6月18日(2013.6.18)
【手続補正１】
【補正対象書類名】実用新案登録請求の範囲
【補正対象項目名】全文
【補正方法】変更
【補正の内容】
【実用新案登録請求の範囲】
【請求項１】
印鑑に刻印する複数の姓名、或いは名称文字を、印篆字体を採用して平行四辺形に表し、これらの平行四辺形に構成した各文字を立方体を投映した３面の各面に位置するように上から下へ、右から左へと時計回りに配列し、組合せ文字の筆順により、上、下、左、右の隣接する連接位置で相互に連結し、或いは延伸して全体を立方体を投映した形態を構成するよう配列して篆刻した、印鑑辺線のない印鑑篆刻構造を有することを特徴とする印鑑。
【請求項２】
前記複数の印刻しようとする姓名或いは名称文字は、印篆字体を採用し、ひし形に順番に配列して篆刻することを特徴とする請求項１に記載の印鑑。